(57)【要約】      （修正有）【課題】取付ボルト又は取付ナットを締付回動して屋根上設置物を取り付けるに際し、取付ナットの締付回動を容易に行うことができると共に取付ボルトを締付ボルトの軸線方向へ移動することができ、取り付けの融通性を高めることができる屋根上設置物取付金具を提供する。【解決手段】四角板状の天板材１に取付ボルト６が挿通されると共に取付ボルトの挿通状態で締付ボルト４の軸線方向への移動を許容する長穴状の貫通孔７が形成され、取付ボルトの頭部と天板材の裏面との間に取付ボルトの回り止め及び移動案内を兼ねる回止案内部材８を配設してなる。【選択図】図１
0003167164.tif 000002
【実用新案登録請求の範囲】
【請求項１】
四角板状の天板材の左右及び前後の四辺縁部にそれぞれ垂下折曲部が形成され、該天板材の左右両側位置に左右一対の挟持材の上部が配置され、左右一対の挟持材の下部に折版屋根材のハゼ部を挟持可能な挟持部が設けられ、該左右一対の挟持材間に該左右の垂下折曲部を貫通して締付ボルトが挿通架設され、該締付ボルトに締付ナットが螺着され、該天板材に屋根上設置物の取り付けに用いる取付ボルトを上方に向けて突設し、該取付ボルトに取付ナットを螺着してなり、上記天板材に上記取付ボルトが挿通されると共に該取付ボルトの挿通状態で上記締付ボルトの軸線方向への移動を許容する長穴状の貫通孔が形成され、該取付ボルトの頭部と該天板材の裏面との間に該取付ボルトの回り止め及び移動案内を兼ねる回止案内部材を配設してなることを特徴とする屋根上設置物取付金具。
【請求項２】
上記回止案内部材は上板材及び左右の側板材からなる側面コ状に形成され、上記取付ボルトの頭部は六角状に形成され、該上板材に上記取付ボルトが挿通される通孔が形成され、該左右の側板材の内面間寸法と上記取付ボルトの六角状の頭部の対向面間寸法とは略同寸法に形成され、該左右の側板材に上記締付ボルトに遊嵌合可能なＵ溝部が形成されていることを特徴とする請求項１記載の屋根上設置物取付金具。
【請求項３】
上記挟持部は上記ハゼ部の長手方向に延びるＬ形状に形成されていることを特徴とする請求項１又は２記載の屋根上設置物取付金具。
【考案の詳細な説明】
【技術分野】
【０００１】
本考案は例えば、太陽電池モジュールや電設用機材、建築用機材、緑化屋根用プランター、温水器、それらを配置するための架台などの屋根上設置物を折版屋根材上に取り付ける際に用いられる屋根上設置物取付金具に関するものである。
【背景技術】
【０００２】
従来、この種の屋根上設置物取付金具として、四角板状の天板材の左右両側位置に折版屋根材のハゼ部を挟持可能な左右一対の挟持材の上部が配置され、左右一対の挟持材間に締付ボルトが挿通架設され、締付ボルトに締付ナットが螺着され、天板材に屋根上設置物の取り付けに用いる取付ボルトを上方に向けて突設した構造のものが知られている。
【先行技術文献】
【特許文献】
【０００３】
【特許文献１】特許第３３３２３２７号
【考案の概要】
【考案が解決しようとする課題】
【０００４】
しかしながらこれら従来構造の場合、上記取付ボルトに取付ナットを螺着し、この取付ボルト又は取付ナットを締付回動して屋根上設置物を取り付けるに際し、これら取付ボルト又は取付ナットが締付回動に伴って一緒に回ってしまい、締め付けが困難となることがあるという不都合を有している。
【課題を解決するための手段】
【０００５】
本考案はこのような不都合を解決することを目的とするもので、本考案のうちで、請求項１記載の考案は、四角板状の天板材の左右及び前後の四辺縁部にそれぞれ垂下折曲部が形成され、該天板材の左右両側位置に左右一対の挟持材の上部が配置され、左右一対の挟持材の下部に折版屋根材のハゼ部を挟持可能な挟持部が設けられ、該左右一対の挟持材間に該左右の垂下折曲部を貫通して締付ボルトが挿通架設され、該締付ボルトに締付ナットが螺着され、該天板材に屋根上設置物の取り付けに用いる取付ボルトを上方に向けて突設し、該取付ボルトに取付ナットを螺着してなり、上記天板材に上記取付ボルトが挿通されると共に該取付ボルトの挿通状態で上記締付ボルトの軸線方向への移動を許容する長穴状の貫通孔が形成され、該取付ボルトの頭部と該天板材の裏面との間に該取付ボルトの回り止め及び移動案内を兼ねる回止案内部材を配設してなることを特徴とする屋根上設置物取付金具にある。
【０００６】
又、請求項２記載の考案は、上記回止案内部材は上板材及び左右の側板材からなる側面コ状に形成され、上記取付ボルトの頭部は六角状に形成され、該上板材に上記取付ボルトが挿通される通孔が形成され、該左右の側板材の内面間寸法と上記取付ボルトの六角状の頭部の対向面間寸法とは略同寸法に形成され、該左右の側板材に上記締付ボルトに遊嵌合可能なＵ溝部が形成されていることを特徴とするものであり、又、請求項３記載の考案は、上記挟持部は上記ハゼ部の長手方向に延びるＬ形状に形成されていることを特徴とするものである。
【考案の効果】
【０００７】
本考案は上述の如く、請求項１記載の考案にあっては、四角板状の天板材の左右及び前後の四辺縁部にそれぞれ垂下折曲部が形成され、天板材の左右両側位置に左右一対の挟持材の上部が配置され、左右一対の挟持材の下部に折版屋根材のハゼ部を挟持可能な挟持部が設けられ、左右一対の挟持材間に左右の垂下折曲部を貫通して締付ボルトが挿通架設され、締付ボルトに締付ナットが螺着され、天板材に屋根上設置物の取り付けに用いる取付ボルトが上方に向けて突設し、取付ボルトに取付ナットを螺着しているから、締付ナットを締付回動することにより左右一対の挟持材は相互に接近移動し、左右一対の挟持材の下部の挟持部は折版屋根材のハゼ部を挟持し、天板材はハゼ部に固定され、天板材上に屋根上設置物を取付ボルト及び取付ナットにより取り付けることになり、この際、上記天板材に上記取付ボルトが挿通されると共に取付ボルトの挿通状態で上記締付ボルトの軸線方向への移動を許容する長穴状の貫通孔が形成され、取付ボルトの頭部と天板材の裏面との間に取付ボルトの回り止め及び移動案内を兼ねる回止案内部材を配設しているから、取付ボルト又は取付ナットを締付回動して屋根上設置物を取り付けるに際し、取付ボルトは回止案内部材により回り止めされているので、取付ナットの締付回動を容易に行うことができ、しかも、上記天板材に上記取付ボルトが挿通される貫通孔が形成され、貫通孔は取付ボルトの挿通状態で上記締付ボルトの軸線方向への移動を許容する長穴状に形成されているので、取付ボルトを締付ボルトの軸線方向へ移動することができ、それだけ、屋根上設置物の取り付けの融通性を高めることができる。
【０００８】
又、請求項２記載の考案にあっては、上記回止案内部材は上板材及び左右の側板材からなる側面コ状に形成され、上記取付ボルトの頭部は六角状に形成され、上板材に上記取付ボルトが挿通される通孔が形成され、左右の側板材の内面間寸法と上記取付ボルトの六角状の頭部の対向面間寸法とは略同寸法に形成され、左右の側板材に上記締付ボルトに遊嵌合可能なＵ溝部が形成されているから、取付ボルトの回り止め及び移動案内を兼ねた構造を簡素化することができ、又、請求項３記載の考案にあっては、上記挟持部は上記ハゼ部の長手方向に延びるＬ形状に形成されているから、挟持部の挟持面積を高めることができ、挟持部でハゼ部を確実に挟持することができる。
【図面の簡単な説明】
【０００９】
【図１】本考案の実施の形態例の全体斜視図である。
【図２】本考案の実施の形態例の全体分離斜視図である。
【図３】本考案の実施の形態例の使用状態断面図である。
【図４】本考案の実施の形態例の使用状態側面図である。
【図５】本考案の実施の形態例の部分拡大断面図である。
【図６】本考案の実施の形態例の部分拡大断面図である。
【図７】本考案の実施の形態例の部分拡大底面図である。
【考案を実施するための形態】
【００１０】
図１乃至図７は本考案を屋根上設置物Ｗとしての太陽電池モジュール、具体的には、その架台を折版屋根上に取り付ける場合の実施の形態例を示し、この場合、図３、図４の如く、構築物の横架材Ｑ上にタイトフレームＳを取り付け、タイトフレームＳ上に折版屋根材Ｔ・Ｔを取り付け、折版屋根材Ｔ・Ｔの接続辺縁をタイトフレームＳにボルトＦにより固定した吊り子Ｅを用いてハゼ部Ｒでハゼ締接合して折版屋根構造を構成している。
【００１１】
１は天板材であって、四角板状の金属材により形成され、天板材１の左右及び前後の四辺縁部にそれぞれ垂下折曲部１ａ・１ｂ・１ｃ・１ｄが折曲形成されている。
【００１２】
２・２は左右一対の挟持材であって、上記天板材１の左右両側位置に左右一対の挟持材２・２の上部が配置され、左右一対の挟持材２・２の下部に折版屋根材Ｔのハゼ部Ｒを挟持可能な挟持部３が設けられ、この場合、挟持材２・２は一枚の金属板材を用いて、コ状部２ａの下部にＬ状板材２ｂを折曲加工により一体形成され、このコ状部２ａの側板内面間に前記垂下折曲部１ａ又は１ｂを嵌合すると共に前記垂下折曲部１ｃ・１ｄの内面間にコ状部２ａの側板外面を嵌合するように構成され、上記Ｌ状板材２ｂの内面が上記挟持部３に形成されて挟持部３は上記ハゼ部Ｒの長手方向に延びるＬ形状に形成されている。
【００１３】
４は締付ボルトであって、上記左右一対の挟持材２・２に貫通孔２ｃ・２ｃを形成して左右一対の挟持材２・２に間に左右の垂下折曲部１ａ・１ｂに形成した孔部Ｋを貫通して挿通架設され、締付ボルト４に締付ナット５が螺着される。
【００１４】
６は取付ボルトであって、上記屋根上設置物Ｗの取り付けに用いられ、上記天板材１に上方に向けて突設され、取付ボルト６に取付ナットＤが螺着される。
【００１５】
この場合、上記天板材１に上記取付ボルト６が挿通されると共に上記取付ボルト６の挿通状態で上記締付ボルト４の軸線方向Ｏへの移動を許容する長穴状の貫通孔７が形成され、取付ボルト６の頭部６ａと天板材１の裏面との間に取付ボルト６の回り止め及び移動案内を兼ねる回止案内部材８を設けている。
【００１６】
又、この場合、上記回止案内部材８は上板材８ａ及び左右の側板材８ｂ・８ｂからなる側面コ状に形成され、上記取付ボルト６の頭部６ａは六角状に形成され、上板材８ａに上記取付ボルト６が挿通される通孔８ｃが形成され、図７の如く、左右の側板材８ｂ・８ｂの内面間寸法Ｍと上記取付ボルト６の六角状の頭部６ａの対向面間寸法Ｎとは略同寸法に形成され、更に、左右の側板材８ｂ・８ｂに上記締付ボルト４に遊嵌合可能なＵ溝部８ｄ・８ｄが形成されている。
【００１７】
この実施の形態例は上記構成であるから、図５、図６の如く、四角板状の天板材１の左右及び前後の四辺縁部にそれぞれ垂下折曲部１ａ・１ｂ・１ｃ・１ｄが形成され、天板材１の左右両側位置に左右一対の挟持材２・２の上部が配置され、左右一対の挟持材２・２の下部に折版屋根材Ｔのハゼ部Ｒを挟持可能な挟持部３・３が設けられ、左右一対の挟持材２・２間に左右の垂下折曲部１ａ・１ｂを貫通して締付ボルト４が挿通架設され、締付ボルト４に締付ナット５が螺着され、天板材１に屋根上設置物Ｗの取り付けに用いる取付ボルト６が上方に向けて突設し、取付ボルト６に取付ナットＤを螺着しているから、締付ナット５を締付回動することにより左右一対の挟持材２・２は相互に接近移動し、左右一対の挟持材の下部の挟持部３・３は折版屋根材Ｔのハゼ部Ｒを挟持し、天板材１はハゼ部Ｒに固定され、図３、図４の如く、天板材１上に屋根上設置物Ｗを取付ボルト６及び取付ナットＤにより取り付けることになる。
【００１８】
この際、上記天板材１に上記取付ボルト６が挿通されると共に取付ボルト６の挿通状態で上記締付ボルト４の軸線方向Ｏへの移動を許容する長穴状の貫通孔７が形成され、取付ボルト６の頭部６ａと天板材１の裏面との間に取付ボルト６の回り止め及び移動案内を兼ねる回止案内部材８を配設しているから、取付ボルト６又は取付ナットＤを締付回動して屋根上設置物Ｗを取り付けるに際し、取付ボルト６は回止案内部材８により回り止めされているので、取付ナットＤの締付回動を容易に行うことができ、しかも、上記天板材１に上記取付ボルト６が挿通される貫通孔７が形成され、貫通孔７は取付ボルト６の挿通状態で上記締付ボルト４の軸線方向Ｏへの移動を許容する長穴状に形成されているので、取付ボルト６を締付ボルト４の軸線方向Ｏへ移動することができ、それだけ、屋根上設置物Ｗの取り付けの融通性を高めることができる。
【００１９】
この場合、上記回止案内部材８は上板材８ａ及び左右の側板材８ｂ・８ｂからなる側面コ状に形成され、上記取付ボルト６の頭部６ａは六角状に形成され、上板材８ａに上記取付ボルト６が挿通される通孔８ｃが形成され、左右の側板材８ｂ・８ｂの内面間寸法Ｍと上記取付ボルト６の六角状の頭部６ａの対向面間寸法Ｎとは略同寸法に形成され、左右の側板材８ｂ・８ｂに上記締付ボルト４に遊嵌合可能なＵ溝部８ｄが形成されているから、取付ボルト６の回り止め及び移動案内を兼ねた構造を簡素化することができ、又、この場合、上記挟持部３・３は上記ハゼ部Ｒの長手方向に延びるＬ形状に形成されているから、挟持部３・３の挟持面積を高めることができ、挟持部３・３でハゼ部Ｒを確実に挟持することができる。
【００２０】
尚、本考案は上記の形態例に限られるものではなく、天板材１や挟持材２、挟持部３の大きさや形状、材質、回止案内部材８の形状、構造等は適宜変更して設計されるものである。
【００２１】
以上の如く、所期の目的を充分達成することができる。
【符号の説明】
【００２２】
Ｗ    屋根上設置物
Ｔ    折版屋根材
Ｒ    ハゼ部
Ｏ    軸線方向
Ｍ    内面間寸法
Ｎ    対向面間寸法
Ｄ    取付ナット
１    天板材
１ａ    垂下折曲部
１ｂ    垂下折曲部
１ｃ    垂下折曲部
１ｄ    垂下折曲部
２    挟持材
３    挟持部
４    締付ボルト
５    締付ナット
６    取付ボルト
６ａ    頭部
７    貫通孔
８    回止案内部材
８ａ    上板材
８ｂ    側板材
８ｃ    通孔
８ｄ    Ｕ溝部
【図１】
0003167164.tif 000003
【図２】
0003167164.tif 000004
【図３】
0003167164.tif 000005
【図４】
0003167164.tif 000006
【図５】
0003167164.tif 000007
【図６】
0003167164.tif 000008
【図７】
0003167164.tif 000009